(57)【要約】【課題】皮膚表面あるいは美容器具の皮膚表面当接部にジェルやクリームを塗布することなく、美容器具の皮膚表面当接部を皮膚表面に密着させることができ、製造コストを低く抑えながら広範域の皮膚表面に対して超音波による振動の伝播効率を高めることが可能な美容器具を提供することを目的とする。【解決手段】美容器具１は、流動体貯留部１０と、超音波振動子２０と、表面波発生部材６０とを備える。流動体貯留部１０は、身体当接面１１および裏側面１２が形成された袋状部材から構成され、その内部には流動体１３が収納される。表面波発生部材６０は、流動体貯留部１０の裏側面１２に当接する当接面と、超音波振動子２０を、その振動面が流動体貯留部１０と対向する向きとなるように支持する支持面とを有する。これらの当接面と支持面とは、一定の角度を有する。【選択図】        図２
2004208751.tif 000002
【特許請求の範囲】
【請求項１】
その表面に身体と当接可能な平面状の身体当接面が形成された軟質の袋状部材から構成され、その内部に流動体を収納する流動体貯留部と、
前記流動体貯留部の身体当接面に対して一定の傾斜角度を有し、その振動面が前記流動体貯留部と対向する向きで配設される超音波振動子と、
前記超音波振動子を支持するとともに、前記流動体貯留部の端部と当接する当接面を有し、当該当接面は前記超音波振動子の略中央からの法線と交差するように構成される表面波発生部材と、
を備えることを特徴とする美容器具。
【請求項２】
請求項１に記載の美容器具において、
前記表面波発生部材における当接面の中央部と、
前記超音波振動子の略中央からの法線とが交差する美容器具。
【請求項３】
請求項１または請求項２に記載の美容器具において、
前記表面波発生部材の当接面は、凸平面である美容器具。
【請求項４】
請求項１乃至請求項３のいずれかに記載の美容器具において、
前記流動体貯留部と前記超音波振動子とを、前記流動体貯留部における前記身体当接面とは逆側から支持する支持部材を備え、
前記支持部材は、当該支持部材を、前記流動体貯留部および前記超音波振動子とともに、身体の一部に装着するために使用される止め部材を備える美容器具。
【発明の詳細な説明】
【０００１】
【発明の属する技術分野】
この発明は、皮膚に対して超音波振動を付与することにより美容効果を奏せしめる美容器具に関する。
【０００２】
【従来の技術】
このような美容器具としては、特許文献１に記載されたように、パッドと、このパッドに超音波振動を付与する超音波振動子とを備えたものが知られている。そして、この美容器具においては、パッドを皮膚の表面に対して摺動させることにより、超音波振動子から発振される超音波をパッドを介して皮膚に伝播し、マッサージ効果による新陳代謝促進作用や温熱エネルギー効果による深部温熱作用等により、美容効果を奏せしめるように構成されている。
【０００３】
また、特許文献２に記載されたように、超音波振動子を内蔵したプローブが複数個配設されたベルトを有するものも知られている。この美容器具においては、身体に巻回させることができるため、美容器具を皮膚の表面に対して摺動させることなく、超音波振動子から発振される超音波をパッドを介して皮膚に伝播し、特許文献１に記載されたような美容器具と同様の効果を得ることができる。
【０００４】
【特許文献１】特開２０００  ２３３００９号公報
【０００５】
【特許文献２】特開２００２  ０００６８４号公報
【０００６】
上記のような美容器具を使用する場合には、この美容器具の皮膚表面当接部を皮膚表面に密着させ、超音波による振動の伝播効率を高めるため、通常、ジェルやクリームを皮膚表面あるいは美容器具の皮膚表面当接部に塗布する。次に、この美容器具の皮膚表面当接部を皮表面に対して軽く押し当て、必要に応じて皮膚表面に沿って移動させる。
【０００７】
【発明が解決しようとする課題】
しかしながら、上記のような美容器具を使用する際に、皮膚表面あるいは美容器具の皮膚表面当接部にジェルやクリームを塗布するという手間が必要となるばかりでなく、この美容器具の使用後に、皮膚表面あるいは美容器具の皮膚表面当接部に塗布されたジェルやクリームを拭き取るという手間も必要である。また、皮膚表面あるいは美容器具の皮膚表面当接部に塗布されたジェルやクリームが、美容器具内に侵入し、美容器具の寿命を短期化させるおそれもある。
【０００８】
また、特許文献２に記載される美容器具は、皮膚表面上を摺動することなく後半域の皮膚表面に対して超音波による振動を付与することができる。しかしながら、多数個の超音波振動子を備える必要があり、製造コストを低く抑えることが困難である。
【０００９】
この発明は上記課題を解決するためになされたものであり、皮膚表面あるいは美容器具の皮膚表面当接部にジェルやクリームを塗布することなく、美容器具の皮膚表面当接部を皮膚表面に密着させることができ、製造コストを低く抑えながら広範域の皮膚表面に対して超音波による振動の伝播効率を高めることが可能な美容器具を提供することを目的とする。
【００１０】
【課題を解決するための手段】
請求項１に記載の発明は、その表面に身体と当接可能な平面状の身体当接面が形成された軟質の袋状部材から構成され、その内部に流動体を収納する流動体貯留部と、前記流動体貯留部の身体当接面に対して一定の傾斜角度を有し、その振動面が前記流動体貯留部と対向する向きで配設される超音波振動子と、前記超音波振動子を支持するとともに、前記流動体貯留部の端部と当接する当接面を有し、当該当接面は前記超音波振動子の略中央からの法線と交差するように構成される表面波発生部材とを備えることを特徴とする。
【００１１】
請求項２に記載の発明は、請求項１に記載の美容器具において、前記表面波発生部材における当接面の中央部と、前記超音波振動子の略中央からの法線とが交差する。
【００１２】
請求項３に記載の発明は、請求項１または請求項２に記載の美容器具において、前記表面波発生部材の当接面は、凸平面である。
【００１３】
請求項４に記載の発明は、請求項１乃至請求項３のいずれかに記載の美容器具において、前記流動体貯留部と前記超音波振動子とを、前記流動体貯留部における前記身体当接面とは逆側から支持する支持部材を備え、前記支持部材は、当該支持部材を、前記流動体貯留部および前記超音波振動子とともに、身体の一部に装着するために使用される止め部材を備える。
【００１４】
【発明の実施の形態】
以下、この発明の実施の形態を図面に基づいて説明する。図１は、この発明に係る美容器具１を示す平面図であり、図２は、図１におけるＡ−Ａ断面図である。
【００１５】
美容器具１は、流動体貯留部１０と、４個の超音波振動子２０ａ、２０ｂ、２０ｃ、２０ｄ（以下、これらを総称する場合には「超音波振動子２０」という）と、表面波発生部材６０とを備える。
【００１６】
図１および図２に示すように、超音波振動子２０は、表面波発生部材６０に支持されている。また、表面波発生部材６０は、流動体貯留部１０の端部と当接するように配設される。これにより、後述するように超音波振動子２０による振動が表面波発生部材６０に伝播されると、この振動が表面波７０として流動体貯留部１０に伝播される。
【００１７】
また、美容器具１は、流動体貯留部１０の裏側面１２に沿ってゴム製の振動防止層３０を備える。これにより、美容器具１の身体当接面１１の反対側表面の振動を防止するとともに、美容器具１の身体当接面１１部を効率よく振動させることが可能となる。なお、この振動防止層３０は、ゴムの他、振動による衝撃を吸収する材料を使用することが可能である。
【００１８】
さらに、図１および図２に示すように、美容器具１は、流動体貯留部１０、超音波振動子２０、および、表面波発生部材６０を流動体貯留部１０における身体当接面１１とは逆側から支持するベルト５０を備える。ベルト５０の一端には、ベルト５０を、流動体貯留部１０、超音波振動子２０、および、表面波発生部材６０とともに身体の一部に装着するために使用されるリング部材５１が配設されている。このため、美容器具１を、流動体貯留部１０の身体当接面１１が身体と対向するように設置した後、ベルト５０の端部をリング部材５１に巻回するとともに図示しない平面ファスナーで固定することにより、美容器具１を身体の周りに装着することが可能となる。
【００１９】
流動体貯留部１０は、例えば、軟質塩化ビニル樹脂により形成される。流動体貯留部１０は、その表面に身体当接面１１および裏側面１２が形成された袋状部材から構成される。身体当接面１１は、身体と当接可能な平面状となっている。また、裏側面１２の端部には、後述する表面波発生部材６０が取り付けられる。
【００２０】
さらに、流動体貯留部１０の内部には流動体１３が収納される。これにより、身体当接面１１を身体の形状に合わせて当接させることが可能となる。なお、この明細書においては、通常の液体と高粘度の液体や半流動体、あるいは、ゾルがジェリー状に固化したゲルやクリーム状物等を含めて流動体と呼称する。
【００２１】
図３は、この発明に係る美容器具１における表面波発生部材６０周辺部分を拡大して示す断面図であり、図４は、この発明に係る美容器具１における表面波発生部材６０により超音波振動子２０を支持した状態を示す正面図である。
【００２２】
超音波振動子２０は、図３に示すように、流動体貯留部１０の身体当接面１１に対して一定の傾斜角度を有し、超音波振動子２０の振動面２１が流動体貯留部１０と対向する向きとなるように、表面波発生部材６０により支持される。このため、表面波発生部材６０を介して流動体貯留部１０に伝播される表面波７０は流動体貯留部１０の身体当接面１１に対して平行に伝播する。これにより、表面波７０を流動体貯留部１０全域に伝播することが可能となる。
【００２３】
また、図４に示すように、４個の超音波振動子２０ａ、２０ｂ、２０ｃ、２０ｄは、表面波発生部材６０における当接面６１と平行に並んで配設される。このため、表面波発生部材６０における当接面６１の全域にわたって超音波振動を付与することが可能となる。
【００２４】
図５は、この発明に係る美容器具１における超音波振動子２０および表面波発生部材６０を示す側面図である。
【００２５】
表面波発生部材６０は、図５に示すように、流動体貯留部１０の裏側面１２に当接する当接面６１と、超音波振動子２０を支持する支持面６２とを有する。当接面６１と支持面６２とは、一定の角度を有する。超音波振動子２０で発生した振動は、縦波となって表面波発生部材６０中を進行する。そして、この縦波は、当接面６１と衝突することにより横波に変化し、表面波７０となって流動体貯留部１０に沿って伝播される。このとき、当接面６１の中央部と、超音波振動子２０の略中央からの法線とが交差する。これにより、表面波７０を流動体貯留部１０へ効率的に伝播することが可能となる。
【００２６】
なお、上述したように、流動体貯留部１０の裏側面１２にはゴム製の振動防止層３０が備えられている。このため、上述した表面波７０による美容器具１の身体当接面１１の反対側表面の振動が防止される。これにより、上述した表面波７０を利用して、美容器具１の身体当接面１１部をより効率的に振動させることが可能となる。
【００２７】
さらに、この当接面６１は凸平面となっている。これにより、当接面６１において発生した振動のみが流動体貯留部１０に伝播する。このため、流動体貯留部１０に伝播される表面波７０は、位相の異なる他の表面波に干渉され難くなり、表面波７０を流動体貯留部１０へさらに効率よく伝播することが可能となる。
【００２８】
なお、表面波発生部材６０の材料としては、例えば、アクリル樹脂を使用することができる。ただし、表面波発生部材６０の材料として、アクリル樹脂以外の樹脂や鉄、アルミニウム等の金属など超音波振動を伝播することができる各種の材料を使用することができる。
【００２９】
また、流動体貯留部１０に対する表面波７０の伝播深さを、美容効果を得るために有効な３５ｍｍ程度とするためには、超音波振動子２０の周波数を、８０ＫＨｚ程度とすることが好ましい。
【００３０】
なお、上記実施形態に係る美容器具１は、流動体貯留部１０と超音波振動子２０とを流動体貯留部１０における身体当接面１１とは逆側から支持するベルト５０を備えているが、ベルト５０を省略してもよい。
【００３１】
また、上記実施形態に係る美容器具１は、４個の超音波振動子２０ａ、２０ｂ、２０ｃ、２０ｄを備えているが、超音波振動子の個数は単数個であってもよく、さらに４個以外の複数個であってもよい。
【００３２】
【発明の効果】
請求項１に記載の発明によれば、超音波振動子は、流動体貯留部の身体当接面に対して一定の傾斜角度を有し、その振動面が流動体貯留部と対向する向きに配設されていることから、超音波振動子の振動により表面波発生部材を介して流動体貯留部に表面波を伝播することが可能となる。
【００３３】
請求項２に記載の発明によれば、表面波発生部材における当接面の中央部と、超音波振動子の略中央からの法線とが交差することから、表面波を流動体貯留部へ効率的に伝播することが可能となる。
【００３４】
請求項３に記載の発明によれば、表面波発生部材の当接面は、凸平面であることから、表面波を流動体貯留部へさらに効率よく伝播することが可能となる。
【００３５】
請求項４に記載の発明によれば、支持部材は、当該支持部材を、前記流動体貯留部および超音波振動子とともに、身体の一部に装着するために使用される止め部材を備えることから、美容器具を身体の周りに装着することが可能となる。
【図面の簡単な説明】
【図１】この発明に係る美容器具１を示す平面図である。
【図２】図１におけるＡ−Ａ断面図である。
【図３】この発明に係る美容器具１における表面波発生部材６０周辺部分を示す断面図である。
【図４】この発明に係る美容器具１における表面波発生部材６０の超音波振動子２０を支持した状態を示す正面図である。
【図５】この発明に係る美容器具１における超音波振動子２０および表面波発生部材６０を示す側面図である。
【符号の説明】
１      美容器具
１０      流動体貯留部
１１      身体当接面
１２      裏側面
１３      流動体
２０      超音波振動子
２１      振動面
３０      振動防止層
５０      ベルト
５１      リング部材
６０      表面波発生部材
６１      当接面
６２      支持面
７０      表面波
【図１】
2004208751.tif 000003
【図２】
2004208751.tif 000004
【図３】
2004208751.tif 000005
【図４】
2004208751.tif 000006
【図５】
2004208751.tif 000007